(57)【要約】【課題】アッパーライトとは別に側面光により器具存在を認識させることが出来る地中埋込照明器具を提供する。【解決手段】光源５が内蔵されて上方向に光を出力する地中埋込照明器具の地上面側面に側面光出力部７を設けた。側面光出力部７の背後にＬＥＤ光源１０を配置し、夜間、器具存在を認識させるための注意喚起目的で点灯、点滅させる。ＬＥＤ光源１０に代えて、側面光出力部７に対応して反射板５に開口部を設けることで、アッパーライト用光源５からの漏洩光を側面光出力として利用しても良い。【選択図】図１
2008140651.tif 000002
【特許請求の範囲】
【請求項１】
光源が内蔵されて上方向に光を出力する地中埋込照明器具の地上面側面に光出力部を設けたことを特徴とする地中埋込照明器具。
【請求項２】
請求項１において、側面光出力にアッパーライト用光源を用いたことを特徴とする地中埋込照明器具。
【発明の詳細な説明】
【技術分野】
【０００１】
本発明は地中埋込灯に側面光出力部を設け、アッパーライトとは別に側面光出力により器具存在を認識させることが出来る地中埋込照明器具に関するものである。
【背景技術】
【０００２】
従来より地中埋込照明器具は存在するが、これらは殆どがアッパーライトで対象物を照射することを目的としている。例えば、特許文献１には、床に埋込固定され配線の結線スペースを有し上面が開口したボックス部と、光源及び前記光源の制御部を内蔵し前記ボックス部の上部に取着される照明器具本体部と、前記照明器具本体部に設けられ前記照明器具本体部の高さを調整する高さ調整手段とを具備した地中埋込照明器具が開示されている。この特許文献１の技術によれば、床の仕上げを行った後でも容易に照明器具本体部の高さ調整を行うことができ、床面と照明器具本体部の上面をフラットとすることができる。
【特許文献１】特開平１０−１７２３３４号公報
【発明の開示】
【発明が解決しようとする課題】
【０００３】
地中埋込照明器具はアッパーライトで対象物を照射することを目的としている。しかし、アッパーライト以外の機能は持っておらず、また、床面と面一となるように地中に埋設している。特許文献１の技術では、床面に対して照明器具本体部の上面がフラットであるが、突出している器具も存在する。この場合、夜間に照明器具の存在に気付きにくく、つまづいたりして不安全であるといった問題がある。
【０００４】
本発明は上記問題点の解決を目的とするものであり、地上面の側面に光出力部を設け、アッパーライトとは別に側面光により器具存在を認識させることが出来る地中埋込照明器具を提供しようとするものである。
【課題を解決するための手段】
【０００５】
請求項１の発明によれば、図１、図２に示すように、光源５が内蔵されて上方向に光を出力する地中埋込照明器具の地上面側面に光出力部７を設けたことを特徴とするものである。
【０００６】
請求項２の発明によれば、請求項１において、図２に示すように、側面光出力にアッパーライト用光源５を用いたことを特徴とするものである。
【発明の効果】
【０００７】
請求項１の発明によれば、地中埋込照明器具の地上面の側面に光出力部を設けたことにより、側面光により器具存在を認識させることが出来る効果がある。
【０００８】
請求項２の発明によれば、地中埋込照明器具の側面光出力にアッパーライト用光源を利用したので、別光源を準備する必要がなく、構成が簡単となる利点がある。
【発明を実施するための最良の形態】
【０００９】
（実施形態１）
図１は本発明の実施形態１の構成を示しており、（ａ）は平面図、（ｂ）は側面図であり、各図の右半分は断面構造を示している。地中に埋め込まれる有底筒状の器具ボックス１の上面開口部には、上部枠体２が装着されている。図中のＧＬはグランドライン（床面高さ）であり、器具の上部枠体２は床面から露出している。器具ボックス１に収納された有底筒状の灯体３の底部には、ソケット４が装着されており、このソケット４にアッパーライト用光源５が装着されている。光源５としては、放電灯や電球などが使用される。６は反射板であり、光源５からの光を反射して器具の配光特性を決めている。７は側面光出力用パネルであり、四角形の上部枠体２の各辺に設けられている。８は防水カバー、９はアッパーライト用パネル面である。１０はＬＥＤ光源であり、側面光出力用パネル７の背後にそれぞれ配置されている。ＬＥＤ光源１０は例えば、複数個のＬＥＤを側面光出力用パネル７の長手方向に沿って列状に配置したものである。１１は配線であり、器具ボックス１の底面からフロアダクトを介して電源に接続され、アッパーライト用光源５とＬＥＤ光源１０に点灯用の電力を供給する。
【００１０】
本実施形態では、地中埋込照明器具の地上面の側面にアッパーライト用光源５とは別回路のＬＥＤ光源１０による光出力部を設けたものであるから、ＬＥＤ光源１０による光出力部は、アッパーライト用光源５とは別に点灯することが出来る。
【００１１】
ＬＥＤ光源１０を制御することで公共空間などで使用する際の、夜間、器具存在を認識させるための注意喚起目的で点灯、点滅することが出来る。さらに発光色を変えることで危険色（赤など）を点灯させることも出来る。
【００１２】
本実施形態では、ＬＥＤ光源１０は器具内にあらかじめ組み込んで配線してあるので、施工時の電源工事も個別にする必要がなく、一括で工事することが出来る。
【００１３】
なお、アッパーライト用光源５を消灯させた場合も側面光出力部のみを残置灯として点灯させることで夜間の器具存在を認識させる効果がある。
【００１４】
また、中央分離帯や車路に面した歩道で、直線状に一定間隔で樹木等を照射する地中埋込照明器具に使用することで、ドライバーに対する視線誘導の効果を図ることが出来る。
【００１５】
本実施形態では、上部枠体２が上方から見て四角形であるので、側面光出力用パネル７を各辺に設けることで四方から視認可能としているが、上部枠体２が上方から見て円形である場合には、側面光出力用パネル７を上部枠体２の全周に沿って設けることで、全方位から視認可能としても良い。
【００１６】
（実施形態２）
図２は本発明の実施形態２の構成を示す側面図であり、右半分は断面構造を示している。地中に埋め込まれる有底筒状の器具ボックス１の上面開口部には、上部枠体２が装着されている。図中のＧＬはグランドライン（床面高さ）であり、器具の上部枠体２は床面から露出している。器具ボックス１に収納された有底筒状の灯体３の底部には、ソケット４が装着されており、このソケット４にアッパーライト用光源５が装着されている。光源５としては、放電灯や電球などが使用される。６は反射板であり、光源５からの光を反射して器具の配光特性を決めている。７は側面光出力用パネルであり、四角形の上部枠体２の各辺に設けられている。１２は反射板６の上端付近に設けた開口部である。各開口部１２はそれぞれ側面光出力用パネル７の背後に形成されて、光源５からの光の一部を漏洩させて側面光出力用パネル７から側面方向に放射する。８は防水カバー、９はアッパーライト用パネル面である。１１は配線であり、器具ボックス１の底面からフロアダクトを介して電源に接続され、アッパーライト用光源５に点灯用の電力を供給する。
【００１７】
本実施形態では、側面光出力用パネル７に対応して反射板６に開口部１２を設けたものであるから、アッパーライト用光源５からの光の一部が開口部１２を介して側面方向に漏洩し、側面光出力用パネル７から側面光として出力される。
【００１８】
本実施形態によれば、地中埋込照明器具の点灯と同時に側面光が出力されるので、別光源を準備する必要がなく、安価に構成できる利点がある。
【００１９】
実施形態１に比べると、アッパーライトが定常光であるとき、側面光の点滅は出来ないが、側面光出力部に色の付いたパネルを入れることで、アッパーライトの光色とは異なる色を発光させることが出来る。例えば、側面光出力用パネル７として、注意喚起色（赤色など）の透明ないし半透明のパネルを使用し、アッパーライト用パネル面９として、無色または白色あるいは乳白色の透明ないし半透明のパネルを使用すれば良い。
【図面の簡単な説明】
【００２０】
【図１】本発明の実施形態１の構成を示しており、（ａ）は平面図、（ｂ）は側面図であり、右半分は断面構造を示している。
【図２】本発明の実施形態２の構成を示す側面図であり、右半分は断面構造を示している。
【符号の説明】
【００２１】
５  アッパーライト用光源
７  側面光出力用パネル
１０  ＬＥＤ光源
１２  開口部
【図１】
2008140651.tif 000003
【図２】
2008140651.tif 000004